(57)【特許請求の範囲】
【請求項１】
洗浄水によりボウル部を洗浄する小便器であって、
底部に排水口が設けられたボウル部と、
上記排水口を通過した洗浄水が流入され、洗浄水を貯溜して封水を形成する排水トラップと、
上記排水トラップとこの排水トラップの下流に接続される排水用の排水配管とを接続するための接続部とを有し、
上記排水トラップは、
上記排水口から下方に延びる下降管路と、
上記下降管路の下端から横方向に延びる横引管路と、
上記横引管路の下流端から上方に延びる上昇管路とを備え、
上記下降管路の後壁と上記上昇管路の前壁は共通壁により形成され、
上記排水トラップの上記上昇管路は、その断面積が入口から出口まで一定に形成され、さらに、上記排水トラップの上記下降管路は、上記共通壁と、上記下降管路の前壁とが、上記下降管路の中心軸線に対して対称、且つ、上記下降管路の下流側が細くなるように形成されていることを特徴とする小便器。
【請求項２】
上記排水トラップの上記上昇管路は、上記共通壁と、上記上昇管路の後壁とが同一の傾斜となるように形成されている、請求項１に記載の小便器。
【請求項３】
上記排水トラップの上記上昇管路は、その左右両側を形成する側壁が平行となるように形成されている、請求項１又は２に記載の小便器。
【発明の詳細な説明】
【技術分野】
【０００１】
本発明は、小便器に係り、特に、洗浄水によりボウル部を洗浄する小便器に関する。
【背景技術】
【０００２】
従来から、特許文献１乃至３に示されているように、使用者の尿を受けるボウル部の下方に形成された排水トラップを備えた小便器が知られている。このような従来の排水トラップは、下向きに延びる下降管路と、下降管路から緩やかに屈曲して横向きに延びる横引管路と、横引管路から同様に緩やかに屈曲して上向きに延びる上昇管路とを有するＵ字型形状を形成している。
【０００３】
排水トラップの下部には、排水配管からの臭気等のトイレ空間への侵入を防ぐため、洗浄水が溜水として常に所定量溜まった状態となっており、この溜水によって封水が形成されている。
使用者が小便器を使用して排尿を行うとき、排水トラップ内に尿が流れ込み、流れ込んだ尿によって溜水の大部分が排出され、排水トラップ内には尿と水とが混ざり合った尿濃度の高い液体が溜水として存在する状態となる。使用者の使用後のボウル部を洗浄するため、排尿後のボウル部に洗浄水を流すとき、その洗浄水が新たに排水トラップ内に流入し、尿と水とが混ざり合った尿濃度の高い液体を排水トラップから排出させ、この新たに流入する洗浄水によって置換する。
排水トラップにおいて、尿濃度の高い液体からなる溜水を新たに流入される洗浄水で置換する溜水の置換率（或いは尿濃度の高い液体からなる溜水を新たに流入される洗浄水で希釈する溜水の希釈率）が低い場合には、置換後の溜水における尿濃度が高くなるので、排水トラップ内に尿石が発生しやすくなることが知られている。なお、置換率は、洗浄前にトラップ内にたまっていた尿混じりの液体が洗浄水によってどれだけ置換されるかによって算定されている。
【先行技術文献】
【特許文献】
【０００４】
【特許文献１】特開２０１３−１４９６５号公報
【特許文献２】特開２０１３−１４９６４号公報
【特許文献３】特開２０１１−２１４２６２号公報
【発明の概要】
【発明が解決しようとする課題】
【０００５】
近年、環境意識の高まりを受けて、節水化の要請が更に高まっており、ボウル部を洗浄する洗浄水量を低減することが求められている。
しかしながら、洗浄水量を低減しようとする場合に、尿濃度の高い液体からなる溜水を置換しようとする洗浄水量が低減されることから、溜水の置換率が低くなりやすく、置換後の溜水における尿濃度が高くなるので、排水トラップ内に尿石が生じやすくなるという問題が生じている。
従って、比較的少ない洗浄水量により尿濃度の高い液体からなる溜水を置換できるように、置換率を向上させる必要があるという課題が生じている。
【０００６】
また、洗浄水量を低減する場合に、少ない溜水の水量で封水を形成できるように排水トラップをコンパクトに形成しようとする場合には、排水トラップの下降管路から横引管路への屈曲、及び横引管路から上昇管路への屈曲が急に形成されることになり、横引管路から上昇管路へと流れ方向が比較的急に変わることになる。よって、洗浄水が、横引管路から上昇管路への屈曲の内側と外側との間で流速差を生じやすく、この流速差が、上昇管路においてさらに拡大されることにより、上昇管路において洗浄水の流れの淀みが生じ、溜水の置換率が低下するという問題が生じている。
また、洗浄水量を低減する場合に、少ない溜水の水量で封水を形成できるように排水トラップをコンパクトに形成しようとする場合には、排水トラップが少ない水量で満たされるため、使用者の排尿後に排水トラップがほぼ使用者の尿で満たされ尿濃度の非常に高い液体により溜水が構成される状態となる。従って、比較的少ない洗浄水量により尿濃度の非常に高い液体からなる溜水を置換できるように、置換率を向上させる必要があるという課題も生じている。
【０００７】
そこで、本発明は、従来技術の欠点を解決するためになされたものであり、排水トラップの上昇管路の入口における洗浄水の流速差が上昇管路内において増大されることを抑制することができ、上昇管路内において洗浄水の流れの淀みが発生することを抑制することができ、排水トラップ内の溜水の置換率を向上させることができ、溜水における尿の残留を低減して、尿石の発生を抑制することができる小便器を提供することを目的としている。
【課題を解決するための手段】
【０００８】
上記の目的を達成するために、本発明は、洗浄水によりボウル部を洗浄する小便器であって、底部に排水口が設けられたボウル部と、排水口を通過した洗浄水が流入され、洗浄水を貯溜して封水を形成する排水トラップと、排水トラップとこの排水トラップの下流に接続される排水用の排水配管とを接続するための接続部とを有し、排水トラップは、排水口から下方に延びる下降管路と、下降管路の下端から横方向に延びる横引管路と、横引管路の下流端から上方に延びる上昇管路とを備え、下降管路の後壁と上昇管路の前壁は共通壁により形成され、排水トラップの上昇管路は、その断面積が入口から出口まで一定に形成され、さらに、排水トラップの下降管路は、共通壁と、下降管路の前壁とが、下降管路の中心軸線に対して対称、且つ、下降管路の下流側が細くなるように形成されていることを特徴としている。
このように構成された本発明においては、洗浄水が下降管路を下降し、自身の前壁を下降管路の後壁と共通とする共通壁により形成された上昇管路を上昇する場合において、排水トラップの上昇管路が、その断面積が入口から出口まで一定に形成されているので、上昇管路の入口における洗浄水の流速差が上昇管路内において増大されることを抑制することができ、上昇管路内において洗浄水の流れの淀みが発生することを抑制することができる。それにより、排水トラップ内の尿濃度の高い液体を含む溜水の置換率を向上させることができ、溜水における尿の残留を低減して、尿石の発生を抑制することができる。
さらに、このように構成された本発明においては、下降管路は、共通壁と、下降管路の前壁とが、下降管路の中心軸線に対して対称且つ下降管路の下流側が細くなるように形成されているので、下降管路内において、下降しようとする洗浄水が、前後方向及び左右方向において中心軸線に対して対称となるように集められ、集められるときに流れの乱れを抑制することができる。従って、横引管路を介して上昇管路に流入する洗浄水が、乱れることを抑制することができる。
【０００９】
本発明において、好ましくは、排水トラップの上昇管路は、共通壁と、上昇管路の後壁とが同一の傾斜となるように形成されている。
このように構成された本発明においては、上昇管路が、共通壁と、上昇管路の後壁とが同一の傾斜となるように形成されているので、上昇管路内において、上昇しようとする洗浄水が、前後方向において比較的平行な流れを形成することができ、前後方向において流速差を生じにくくすることができる。
【００１０】
本発明において、好ましくは、排水トラップの上昇管路は、その左右両側を形成する側壁が平行となるように形成されている。
このように構成された本発明においては、上昇管路が、その左右両側を形成する側壁が平行となるように形成されているので、上昇管路内において、上昇しようとする洗浄水が、左右方向において比較的平行な流れを形成することができ、左右方向において流速差を生じにくくすることができる。
【発明の効果】
【００１２】
本発明の小便器によれば、排水トラップの上昇管路の入口における洗浄水の流速差が上昇管路内において増大されることを抑制することができ、上昇管路内において洗浄水の流れの淀みが発生することを抑制することができ、排水トラップ内の溜水の置換率を向上させることができ、溜水における尿の残留を低減して、尿石の発生を抑制することができる。
【図面の簡単な説明】
【００１３】
【図１】本発明の実施形態による小便器を示す概略断面図である。
【図２】本発明の実施形態による小便器を示す上面図である。
【図３】本発明の実施形態による小便器の排水トラップ近傍の部分拡大断面図である。
【図４】図１のIV−IV線に沿って見た部分断面図である。
【図５】図１のV−V線に沿って見た部分断面図である。
【図６】図１のVI−VI線に沿って見た部分断面図である。
【図７】図１のVII−VII線に沿って見た部分断面図である。
【図８】本発明の実施形態による小便器の排水トラップの横引管路の変形例を示す概略断面図である。
【図９】本発明の実施形態による小便器の排水トラップの横引管路の変形例を示す概略断面図である。
【図１０】本発明の実施形態による小便器の目皿を示す斜視図である。
【図１１】本発明の実施形態による小便器の目皿を示す上面図である。
【図１２】図１のXII−XII線に沿って見た断面図において、目皿を破線により省略し排水口に流入する洗浄水の流れを示す図である。
【発明を実施するための形態】
【００１４】
添付図面を参照して、本発明の実施形態による小便器を説明する。先ず、図１乃至図３により小便器の基本構造を説明する。図１は本発明の実施形態による小便器を示す概略断面図であり、図２は本発明の実施形態による小便器を示す上面図であり、図３は本発明の実施形態による小便器の排水トラップ近傍の部分拡大断面図である。
【００１５】
図１乃至図３に示すように、符号１は、本発明の実施形態による小便器を示し、この小便器１は、陶器製の小便器本体２と、この小便器本体２を洗浄するための自動便器洗浄ユニット４を備えている。小便器１は自身の最下部が床面から浮かされた状態となるように背後の壁面に沿って取付けられる壁掛け式の小便器であるが、小便器１は床面上に直接配置される床置き式の小便器であってもよい。また、小便器１は、例えば、洗浄時に０．５Ｌ〜１．０Ｌの洗浄水量で洗浄する節水型の小便器であってもよい。以下、小便器１の正面側を前方側、その背面側を後方側（奥側）、小便器１の正面から見て左側を左側、小便器１の正面から見て右側を右側として説明する。
【００１６】
小便器１の小便器本体２は、上方端に上述した自動便器洗浄ユニット４を収納するための収納室６（図１に概略により図示され、他の図面においては省略する）と、この収納室６の前面７から下方に延びるボウル面を形成するボウル部８と、このボウル部８の底部に形成された排水口部１０と、排水口部１０を通過した洗浄水が流入され、排水口部１０の下流側において溜水Ｗを貯溜して封水を形成する排水トラップ１２と、 この排水トラップ１２とこの排水トラップ１２の下流に接続される排水ソケット１４及び排水用の排水配管１６とを接続する接続部１８とを備えている。
【００１７】
収納室６は、小便器本体２と別体である蓋３により形成されている。また、収納室６の前面７は、後方に向かって傾斜して形成されている。収納室６に収納される自動便器洗浄ユニット４は、水道等の給水源から洗浄水を供給する給水管２０と、給水管２０に設けられる流量調整装置２２と、給水管２０に取り付けられ給水の供給及び停止を行う開閉弁２４と、給水管２０の先端に取り付けられた吐水部であるスプレッダ２６と、使用者の有無を検知する人体検知センサ２８と、人体検知センサ２８からの検知信号及び所定の制御プログラム等に基づいて開閉弁２４等を制御することができる制御ユニット３０と、を備えている。よって、自動便器洗浄ユニット４は、人体検知センサ２８からの検知信号及び所定の制御プログラム等に基づいて、制御ユニット３０が開閉弁２４等を制御し、洗浄水をスプレッダ２６からボウル部８に吐水させるようになっている。
【００１８】
ボウル部８は、そのボウル面が水平方向においてその上部が比較的大きな曲率半径を有する円弧面を形成し、その下部が比較的小さな曲率半径を有する円弧面を形成している。さらに、その底部が鉢状に湾曲しながら収束するような形状に形成されている。
ボウル部８の左右中心軸線上のボウル部８の中央より上方の高さ位置には、スプレッダ２６が設けられている。スプレッダ２６から吐水される洗浄水の流量は、単位時間あたりほぼ一定に設定されている。
【００１９】
また、排水口部１０には、上流側のその入口部１０ａにおいて詳細は後述する目皿３２が配置されている。さらに、排水口部１０には、下流側のその出口部１０ｂにおいて排水トラップ１２の入口を構成する排水口３４が形成されている。
【００２０】
排水トラップ１２の下流側には、接続部１８が設けられ、接続部１８に排水ソケット１４が接続されるようになっている。排水ソケット１４の下流側には及び排水用の排水配管１６が接続される。なお、本実施形態においては、接続部１８に排水ソケット１４が接続されているが、排水ソケット１４を省略し、接続部１８に排水用の排水配管１６を接続することもできる。
【００２１】
次に、排水トラップ１２について詳細に説明する。
図３に示すように、排水トラップ１２は、排水トラップ１２の入口の排水口３４から下方に延びる下降管路３６と、自身の前壁４０ａと下降管路３６の下降管路後壁３６ｂとが共通の共通壁３８により形成され、且つ上方に延びる上昇管路４０と、横方向に延び、自身の上流側が下降管路３６と接続され、且つ自身の下流側が上昇管路４０と接続される横引管路４２とを備えている。また、横引管路４２は、この横引管路４２の上部が共通壁３８の下端の折り返し流路形成部３８ａにより形成され、この折り返し流路形成部３８ａと反対側の横引管路４２の底部４２ａに、この底部４２ａ近傍を流れる洗浄水の流速を低減させる抵抗部４２ｂが形成されている。
【００２２】
排水トラップ１２は、下降管路３６と、横引管路４２と、上昇管路４０とにより共通壁折り返しトラップを形成している。特に、上昇管路４０の前壁４０ａと下降管路３６の下降管路後壁３６ｂとが共通の共通壁３８により形成されるので、洗浄水が、下降管路３６内を下方に流れる流れから、共通壁３８の下端の折り返し流路形成部３８ａを中心として、横引管路４２を通りながら半回転近くするように向きを変え、上昇管路４０を上昇する流れを形成する。すなわち、本実施形態の排水トラップ１２は、洗浄水が、下降管路３６を流下する流れから、横引管路４２を通りながら急激に折り返して向きを変え、共通壁３８を挟んだ裏側（後方側）に形成された上昇管路４０内を、ほぼ１８０度流れの向きを上向きに変えて上昇するような流れを生じるように形成されている。
このように、排水トラップ１２は、上昇管路前壁４０ａと下降管路後壁３６ｂとが共通の共通壁３８により形成されるので、排水トラップ１２の大きさが小型化され、排水トラップ１２内に貯留される溜水Ｗの水量を従来と比べて比較的低減する構造を有している。
【００２３】
また、排水トラップ１２の内壁面には釉薬層を設けている。釉薬層はガラス質の被覆層であり主として無機物質からなり、陶器の素地表面に釉薬を噴きつけて、焼成を行うことで形成される。
このように釉薬層を設けることで、素地のみで構成される場合に比べてより表面の平滑度が高くなる。そのため、素地のみで構成される場合に比べて、排水トラップ１２の内壁面に雑菌が留まりにくく、雑菌に起因する汚れや尿石の発生を抑制することができる。
【００２４】
排水トラップ１２の下降管路３６は、下降管路３６の前側の下降管路前壁３６ａと、下降管路３６の後側の下降管路後壁３６ｂを形成する共通壁３８とにより形成されている。下降管路３６の下降管路前壁３６ａと、共通壁３８とは、下降管路３６の中心軸線Ｃに対して対称且つ下流側が細くなるように形成されている。用語「対称」の意義には、ある程度の幅があるほぼ対称の状態を含む（以下同じ）。また、下降管路３６は左右方向にも中心軸線Ｃに対して対称となるように形成されている。
【００２５】
排水トラップ１２の横引管路４２は、下降管路３６の下端から横方向に延び、その横引管路入口４２ｃから横引管路出口４２ｄまでほぼ水平に前後方向に延びて形成され、その横引管路入口４２ｃが下降管路３６の出口側円弧形状部３６ｄと接続され、その横引管路出口４２ｄが上昇管路４０の上流側端部の入口側円弧形状部４０ｅと接続されている。出口側円弧形状部３６ｄは、下降する洗浄水をスムーズに横引管路４２に導入しやすくなっている。また、入口側円弧形状部４０ｅは、横引管路４２を通過した洗浄水をスムーズに上昇管路４０に導入しやすくなっている。
この横引管路４２は、折り返し流路形成部３８ａと反対側の横引管路４２の底部４２ａにおいて、前後方向に平坦に延びる平坦部４２ｅを有し、この平坦部４２ｅが洗浄水の流れが衝突する抵抗部４２ｂを構成し、流速を抑制することができる。用語「平坦」の意義には、ある程度の変位があるほぼ平坦の状態を含む（以下同じ）。本実施形態においては、この平坦部４２ｅは、横引管路４２の横引管路入口４２ｃから横引管路出口４２ｄまで形成されている。より具体的には、平坦部４２ｅの始点は４２ｇで図示され、終点は４２ｈで図示されている。なお、出口側円弧形状部３６ｄ、平坦部４２ｅ及び入口側円弧形状部４０ｅは排水トラップ１２の底側の底面を形成している。
【００２６】
図３に示すように、この平坦部４２ｅは、横引管路４２の前後方向の中央断面において、前後方向に直線的にほぼ水平に延びるように形成されている。平坦部４２ｅは、横引管路４２の前後方向の断面が横引管路の中央から左右にずれた位置においても、同様に前後方向に直線的にほぼ水平に延びるように形成されている。
なお、平坦部４２ｅは、前後方向及び左右方向それぞれについて、比較的大きな曲率のＲにより形成された比較的平らな部分として形成されていてもよい。
さらに、図７に示すように、この平坦部４２ｅは、折り返し流路形成部３８ａの近傍における横引管路４２の左右方向の断面において、底部４２ａが左右方向に直線的にほぼ水平に延びるように形成されている。また、平坦部４２ｅは、折り返し流路形成部３８ａの少なくとも前方側における横引管路４２の左右方向の断面において、底部４２ａが左右方向に同様に前後方向に直線的にほぼ水平に延びるように形成されている。
【００２７】
この平坦部４２ｅは、共通壁３８の下端の折り返し流路形成部３８ａの鉛直下方の位置よりも上流側から形成される。すなわち、平坦部４２ｅの上流端４２ｇは、折り返し流路形成部３８ａの鉛直下方の位置よりも上流側（下降管路３６の下方側）に位置している。すなわち、平坦部４２ｅは、下降管路３６の真上から見た場合に、その出口の鉛直方向下方の位置に、平坦部４２ｅの少なくとも一部が視認できるように配置されている。よって、下降管路３６から流下した洗浄水の一部が、平坦部４２ｅの少なくとも一部に衝突するようになっている。
【００２８】
なお、変形例として、図８に示すように、排水トラップ１２の横引管路４２の抵抗部４２ｂは、上述の平坦部に代えて或いは加えて、底部４２ａの少なくとも一部が凸凹に形成されることにより形成されていてもよい。また、さらに別の変形例として、図９に示すように、排水トラップ１２の横引管路４２の抵抗部４２ｂは、上述の平坦部に代えて或いは加えて、底部４２ａの少なくとも一部が突出された突起部として形成されることにより形成されていてもよい。さらに別の変形例として、底部においてその少なくとも一部が山形に隆起された隆起部が形成されていてもよく、また、底部４２ａに、リブ状の突起部が形成されていてもよい。このような横引管路４２の抵抗部４２ｂは、共通壁３８の下端の折り返し流路形成部３８ａの鉛直下方の位置よりも上流側から形成されている。
【００２９】
排水トラップ１２の上昇管路４０は、横引管路４２の下流端から上方に延びている。この上昇管路４０は、上昇管路４０の前側の上昇管路前壁４０ａを形成する共通壁３８と、上昇管路４０の後側の上昇管路後壁４０ｂと、上昇管路４０の左側の上昇管路左側壁４０ｃと、上昇管路４０の右側の上昇管路右側壁４０ｄとを備えている。
上昇管路４０において、共通壁３８と、上昇管路後壁４０ｂとは、前後方向において平行な壁面を形成し、且つ同一の傾斜となるように形成されている。用語「平行」の意義には、製造誤差等を含みある程度の幅があるほぼ平行を含む（以下同じ）。用語「同一の傾斜」の意義には、製造誤差等を含みある程度の幅があるほぼ同一の傾斜を含む（以下同じ）。よって、共通壁３８と、上昇管路後壁４０ｂとの間の距離は、上昇管路４０の入口から出口まで一定に形成されている。用語「一定」の意義には、製造誤差等を含みある程度の幅があるほぼ一定を含む（以下同じ）。
また、上昇管路４０は、その左右両側を形成する上昇管路左側壁４０ｃと上昇管路右側壁４０ｄとが平行となるように形成されている。これらの上昇管路左側壁４０ｃ及び上昇管路右側壁４０ｄは、ほぼ垂直に立ち上がる縦壁を形成している。
【００３０】
図４乃至図６に示すように、排水トラップ１２の上昇管路４０は、図１のＩＶ−ＩＶ線に沿って見たＩＶ−ＩＶ断面の断面積Ｓ１と、図１のＶ−Ｖ線に沿って見たＶ−Ｖ断面の断面積Ｓ２と、図１のＶＩ−ＶＩ線に沿って見たＶＩ−ＶＩ断面の断面積Ｓ３と、がほぼ等しく形成されている。
このように、排水トラップ１２の上昇管路４０は、その断面積が上昇管路４０の入口である入口部４０ｆからその出口である出口部４０ｇまで一定に形成されている。より厳密には、上昇管路４０は、入口側円弧形状部４０ｅの下流側の直線的な流路の断面積が入口部４０ｆから出口部４０ｇまで一定に形成されている。
【００３１】
次に、図１０乃至図１２に示すように、目皿３２について説明する。
図１０は、本発明の実施形態による小便器の目皿を示す斜視図であり、図１１は本発明の実施形態による小便器の目皿を示す上面図であり、図１２は図１のXII−XII線に沿って見た断面図において、目皿を破線により省略し排水口に流入する洗浄水の流れを示す図である。
【００３２】
目皿３２は、ボウル部８の底部において、排水トラップ１２の入口の排水口３４の上流側を覆うように設けられる。
目皿３２は、図１１に示すように、上面から見て楕円形の形状に形成され、また、側面から見て板状に形成されている。目皿３２は、樹脂製であり、陶器等により形成されてもよい。この目皿３２は、ボウル部８の底部において、ボウル部８の鉢状の曲面の湾曲面に対して、自身の外周の湾曲線が沿うように配置される。目皿３２は、排水口部１０の入口部１０ａ上にボウル部８からくぼむように形成されている部分に配置されて、ボウル部８の上部からの湾曲表面とほぼ連続した流面を形成するようになっている。
目皿３２は、排水口３４の上方を斜めに覆うように配置され、自身の重心が、下降管路３６の中心軸線Ｃに対してずれて配置されている。従って、目皿３２は、下降管路３６の入口及び下降管路３６の中央軸線Ｃに対して非対称な領域をカバーするように配置されている。目皿３２によって、目皿３２とボウル部８との間において、目皿３２の上流側と下流側を連通させる流路の流路面積が規定される。
【００３３】
目皿３２は、図１１に示すように、その上面に流路面積の一部を構成する複数の流入孔が形成されている。例えば、これらの流入孔は、第１流入孔３２ａ、第２流入孔３２ｂ、第３流入孔３２ｃ、第４流入孔３２ｄ、第５流入孔３２ｅ、第６流入孔３２ｆによって形成されている。第１流入孔３２ａ、第２流入孔３２ｂ、第３流入孔３２ｃ、第４流入孔３２ｄ、第５流入孔３２ｅ及び第６流入孔３２ｆは、目皿３２の表面から裏面まで貫通するように形成されています。流入孔の数、各流入孔の形状、各流入孔の口径及び各流入孔の大きさ（開口面積）は変更することが可能である。例えば、目皿３２の上面に４つの流入孔が形成されていてもよいし、或いは８つの流入孔が形成されていてもよい。
【００３４】
第１流入孔３２ａは、ボウル部８から第１流入孔３２ａの入口近傍の領域である第１流入孔接続領域４４ａに流入する洗浄水が、第１流入孔接続領域４４ａから第１流入孔３２ａを通過して目皿３２の裏側領域（下方領域）３３に流下できるように形成されている。第２流入孔３２ｂは、ボウル部８から第２流入孔３２ｂの入口近傍の領域である第２流入孔接続領域４４ｂに流入する洗浄水が、第２流入孔接続領域４４ｂから第２流入孔３２ｂを通過して目皿３２の裏側領域（下方領域）３３に流下できるように形成されている。第３流入孔３２ｃは、ボウル部８から第３流入孔３２ｃの入口近傍の領域である第３流入孔接続領域４４ｃに流入する洗浄水が、第３流入孔接続領域４４ｃから第３流入孔３２ｃを通過して目皿３２の裏側領域（下方領域）３３に流下できるように形成されている。第４流入孔３２ｄは、ボウル部８から第４流入孔３２ｄの入口近傍の領域である第４流入孔接続領域４４ｄに流入する洗浄水が、第４流入孔接続領域４４ｄから第４流入孔３２ｄを通過して目皿３２の裏側領域（下方領域）３３に流下できるように形成されている。第５流入孔３２ｅは、ボウル部８から第５流入孔３２ｅの入口近傍の領域である第５流入孔接続領域４４ｅに流入する洗浄水が、第５流入孔接続領域４４ｅから第５流入孔３２ｅを通過して目皿３２の裏側領域（下方領域）３３に流下できるように形成されている。第６流入孔３２ｆは、ボウル部８から第６流入孔３２ｆの入口近傍の領域である第６流入孔接続領域４４ｆに流入する洗浄水が、第６流入孔接続領域４４ｆから第６流入孔３２ｆを通過して目皿３２の裏側領域（下方領域）３３に流下できるように形成されている。
【００３５】
各流入孔３２ａ乃至３２ｆの大きさは、ボウル部８から各流入孔の入口近傍の領域である各流入孔接続領域４４ａ乃至４４ｆに流入する洗浄水の流量の大きさに反比例するような大きさに形成されている。目皿３２の上面に形成された流入孔により、洗浄水の水量を調整することにより、隙間流入口Ｇのみの大きさの調整により洗浄水の水量を調整するよりも、より簡単且つ正確な調整をすることができる。一般的には洗浄水の流量が多い領域においては流速が速くなる関係にある。
本実施形態の小便器１においては、ボウル部８の底部の目皿３２の近傍において、ボウル部８の後方側、左後方側及び右後方側から目皿３２に向かって流下する洗浄水の流量が、ボウル部８の前方側、左前方側及び右前方側から目皿３２に向かって流下する洗浄水の流量よりも比較的大きくなるように形成されているが、他の実施形態の小便器において、ボウル部の底部の目皿の近傍において、ボウル部の後方側、左後方側及び右後方側から目皿に向かって流下する洗浄水の流量が、ボウル部の前方側、左前方側及び右前方側から目皿に向かって流下する洗浄水の流量よりも比較的小さくなるように形成されていてもよい。この場合には、各流入孔の大きさ（及び各流入孔を含む流路面積の大きさ）は、各流入孔接続領域に流入する洗浄水の流量の大きさに反比例するような大きさに形成される。すなわち、このとき、例えば、目皿３２ボウル部８の手前側の流入孔（例えば、第３流入孔前側部３２ｈ、第４流入孔３２ｄ及び第５流入孔前側部３２ｉの位置に相当するような各流入孔部）の開口面積は、目皿３２のボウル部８の奥側の流入孔（例えば、第１流入孔３２ａ、第２流入孔３２ｂ、第３流入孔奥側部３２ｇ、第５流入孔奥側部３２ｊ及び第６流入孔３２ｆの位置に相当するような各流入孔部）の開口面積よりも小さく形成されている。さらに、このとき、例えば、目皿３２ボウル部８の手前側の流路（例えば、第３流入孔前側部３２ｈ、第４流入孔３２ｄ及び第５流入孔前側部３２ｉ及び奥側隙間流入口ＧＲの位置に相当するような流入口）の面積は、目皿３２のボウル部８の奥側の流路（例えば、第１流入孔３２ａ、第２流入孔３２ｂ、第３流入孔奥側部３２ｇ、第５流入孔奥側部３２ｊ及び第６流入孔３２ｆ及び前側隙間流入口ＧＦ）の面積よりも小さく形成されている。
さらに他の実施形態の小便器において、目皿に向かって流下する洗浄水の流量が各方向によってさらに異なる流量及び割合である場合にも、目皿の各流入孔の位置及び大きさを調整することにより本実施形態と同様の効果を奏することができる。
【００３６】
本実施形態においては、矢印Ｆ１に示すようなボウル部８の後方側から第１流入孔接続領域４４ａに流入する洗浄水の流れの流量が比較的大きいので、第１流入孔３２ａの大きさ（流入孔の開口面積）は比較的小さく形成されている。これにより、矢印Ｆ７に示すような目皿３２の裏側領域３３（排水口部１０の内部領域）に流下する洗浄水の流れの流量が比較的小さくなり、矢印Ｆ８に示すような排水口３４に流れ込む洗浄水の流れの流量及び流速が、後述するように他の方向から排水口３４に流れ込む洗浄水の流れの流量及び流速とほぼ同じになるようになっている。
【００３７】
同様に、矢印Ｆ２に示すようなボウル部８の右後方側から第２流入孔接続領域４４ｂに流入する洗浄水の流れの流量、及び矢印Ｆ６に示すようなボウル部８の左後方側から第６流入孔接続領域４４ｆに流入する洗浄水の流れの流量が比較的大きいので、第２流入孔３２ｂ及び第６流入孔３２ｆの大きさ（流入孔の開口面積）は比較的小さく形成されている。これにより、目皿３２の裏側領域３３（排水口部１０の内部）に流下する洗浄水の流れの流量が比較的小さくなり、矢印Ｆ９及びＦ１３に示すような第２流入孔３２ｂ及び第６流入孔３２ｆから排水口３４に流れ込む洗浄水の流れの流量及び流速が、後述するように他の方向から排水口３４に流れ込む洗浄水の流れの流量及び流速とほぼ同じになるようになっている。
【００３８】
同様に、矢印Ｆ３に示すようなボウル部８の右前方側から第３流入孔接続領域４４ｃに流入する洗浄水の流れの流量、及び矢印Ｆ５に示すようなボウル部８の左前方側から第５流入孔接続領域４４ｅに流入する洗浄水の流れの流量が比較的小さいので、第３流入孔３２ｃ及び第５流入孔３２ｅの大きさ（流入孔の開口面積）は比較的大きく形成されている。これにより、目皿３２の裏側領域３３（排水口部１０の内部）に流下する洗浄水の流れの流量が比較的大きくなり、矢印Ｆ１０及びＦ１２に示すような第３流入孔３２ｃ及び第５流入孔３２ｅから排水口３４に流れ込む洗浄水の流れの流量及び流速が、後述するように他の方向から排水口３４に流れ込む洗浄水の流れの流量及び流速とほぼ同じになるようになっている。
【００３９】
同様に、矢印Ｆ４に示すようなボウル部８の前方側から第４流入孔接続領域４４ｄに流入する洗浄水の流れの流量が比較的小さいので、第４流入孔３２ｄの大きさ（流入孔の開口面積）は比較的大きく形成されている。これにより、目皿３２の裏側領域３３（排水口部１０の内部）に流下する洗浄水の流れの流量が比較的大きくなり、矢印Ｆ１１に示すような第４流入孔３２ｄから排水口３４に流れ込む洗浄水の流れの流量及び流速が、後述するように他の方向から排水口３４に流れ込む洗浄水の流れの流量及び流速とほぼ同じになるようになっている。
【００４０】
上述するように、第１流入孔３２ａ、第２流入孔３２ｂ及び第６流入孔３２ｆは、比較的小さい大きさの開口（開口面積）を形成し、第３流入孔３２ｃ、第４流入孔３２ｄ及び第５流入孔３２ｅは、比較的大きい大きさの開口（開口面積）を形成している。
目皿３２を中心線Ｃ２を境に前側領域と奥側領域に分けた場合において、奥側領域には、第１流入孔３２ａ、第２流入孔３２ｂ、第３流入孔奥側部３２ｇ、第５流入孔奥側部３２ｊ及び第６流入孔３２ｆが位置され、前側領域には、第３流入孔前側部３２ｈ、第４流入孔３２ｄ及び第５流入孔前側部３２ｉが位置される。
ここで、奥側領域に位置する第１流入孔３２ａ、第２流入孔３２ｂ、第３流入孔奥側部３２ｇ、第５流入孔奥側部３２ｊ及び第６流入孔３２ｆの開口面積の総和は、前側領域に位置する第３流入孔前側部３２ｈ、第４流入孔３２ｄ及び第５流入孔前側部３２ｉの開口面積の総和よりも小さく形成されている。
【００４１】
目皿３２がボウル部８上の配置される場合において、樹脂製の目皿３２と陶器製のボウル部８との間には、ほぼ全周にわたって比較的小さい隙間流入口Ｇが形成される。本実施形態においては、比較的少ない水量の洗浄水が、ボウル部８から隙間流入口Ｇを通って目皿３２の裏側領域３３（排水口部１０の内部）に流下している。隙間流入口Ｇから目皿３２の裏側領域３３に流入する洗浄水の水量は、上述の各流入孔から目皿３２の裏側領域３３に流入する洗浄水の水量よりも少なくなっている。従って、本実施形態においては、裏側領域３３に流入する洗浄水の流量の総量のうち、上述の各流入孔から目皿３２の裏側領域３３に流入する洗浄水の流量が主となっており、隙間流入口Ｇから目皿３２の裏側領域３３に流入する洗浄水の流量が副次的となっている。
目皿３２の外周から隙間流入口Ｇを通って排水口部１０に流入した洗浄水は、矢印Ｆ８乃至Ｆ１３に示すような各方向から排水口３４に流れ込む洗浄水の流れに合流するようになっている。このように合流された洗浄水は、併せて、排水口３４に流れ込む洗浄水の流れの流量及び流速を全方向においてほぼ均等にするような流れを形成している。
本実施形態においては隙間流入口Ｇは、全周にわたってほぼ均一の大きさの隙間を形成している。なお、隙間流入口Ｇについても、洗浄水をボウル部８側から目皿３２の裏側領域３３（排水口部１０の内部）に流下させる開口の機能を果たしているため、変形例として、隙間流入口Ｇの大きさを一部分において大きく形成することにより、上述の各流入孔と同様の機能を果たす開口として使用することも可能である。
【００４２】
隙間流入口Ｇを考慮した場合、隙間流入口Ｇを中心線Ｃ２を境に前側領域における前側隙間流入口ＧＦと奥側隙間流入口ＧＲに分けて定義すると、奥側領域において目皿３２によって規定される第１流入孔３２ａ、第２流入孔３２ｂ、第３流入孔奥側部３２ｇ、第５流入孔奥側部３２ｊ、第６流入孔３２ｆ及び奥側隙間流入口ＧＲの流路の流路面積の総和は、前側領域において目皿３２によって規定される第３流入孔前側部３２ｈ、第４流入孔３２ｄ、第５流入孔前側部３２ｉ及び前側隙間流入口ＧＦの流路の流路面積の総和よりも小さく形成されている。
【００４３】
このように、目皿３２の中心に対して前後非対称に形成された各流入孔３２ａ乃至３２ｆを通過した洗浄水が、図１２に示すように、目皿３２の裏側領域３３（排水口部１０の内部）において、ほぼ円形に開口する排水口３４に対し、中心軸線Ｃに向かって対称な流れ且つほぼ均一な流速分布を有する流れにより流入する。
【００４４】
なお、変形実施形態として、目皿は、その上面に流入孔を形成せず、目皿とボウル部８との間に形成される隙間流入口を各流路とし、流路面積の総和を算出してもよい。例えば、隙間流入口を中心線を境に前側領域における前側隙間流入口と奥側領域における奥側隙間流入口に分けて定義する。なお、隙間流入口は、２つ以上の流入口に分けて形成されていてもよい。
前側隙間流入口は、ボウル部８から前側隙間流入口に流入する洗浄水が、前側隙間流入口を通過して目皿の裏側領域（下方領域）に流下できるように形成されている。奥側隙間流入口は、ボウル部８から奥側隙間流入口に流入する洗浄水が、奥側隙間流入口を通過して目皿の裏側領域（下方領域）に流下できるように形成されている。
【００４５】
各隙間流入口の大きさは、ボウル部８から各隙間流入口に流入する洗浄水の流量の大きさに反比例するような大きさに形成されている。
変形実施形態の小便器１においては、ボウル部８の底部の目皿の近傍において、ボウル部８の後方側、左後方側及び右後方側から目皿に向かって流下する洗浄水の流量が、ボウル部８の前方側、左前方側及び右前方側から目皿に向かって流下する洗浄水の流量よりも比較的大きくなるように形成されている。
【００４６】
変形実施形態においては、ボウル部８の後方側から奥側隙間流入口に流入する洗浄水の流れの流量が比較的大きいので、奥側隙間流入口の大きさは比較的小さく形成されている。これにより、目皿の裏側領域（排水口部の内部）に流下する洗浄水の流れの流量が比較的小さくなり、排水口３４に流れ込む洗浄水の流れの流量及び流速が、後述するように前方向から排水口３４に流れ込む洗浄水の流れの流量及び流速とほぼ同じになるようになっている。
【００４７】
同様に、ボウル部８の前方側から前側隙間流入口に流入する洗浄水の流れの流量が比較的小さいので、前側隙間流入口の大きさは比較的大きく形成されている。これにより、目皿の裏側領域（排水口部の内部）に流下する洗浄水の流れの流量が比較的大きくなり、前側隙間流入口から排水口３４に流れ込む洗浄水の流れの流量及び流速が、後方向から排水口３４に流れ込む洗浄水の流れの流量及び流速とほぼ同じになるようになっている。
【００４８】
なお、本発明の実施形態による小便器１の目皿３２は、上述の目皿３２に限られず、小便器において従来から用いられるような目皿であってもよく、例えば、目皿の裏側領域に流下する洗浄水の流れの流量を調整する目的を有していないような目皿であってもよい。さらに、目皿３２は、目皿の上面に流入孔が形成されている形状のみならず、目皿の上面に流入孔が形成されていない形状を有しているものも含む。
【００４９】
次に、図１乃至図３により、本発明の実施形態による動作（作用）について説明する。
通常、使用者が小便器１の前に立つと、人体検知センサ２８が使用者の存在を検出して検出情報を制御ユニット３０に送り、制御ユニット３０は使用者の存在を認識する。使用者が放尿する前の待機状態においては排水トラップ１２内には主に洗浄水が溜水Ｗとして存在している状態になっている。
使用者が小便器１のボウル部８に放尿を行うとき、ボウル部８の底部から排水トラップ１２内に尿が流れ込み、流れ込んだ尿によってもともと存在した溜水Ｗの大部分が排出され（置換され）、排水トラップ１２内には尿と水とが混ざり合った尿濃度の非常に高い液体が新たな溜水Ｗとして存在する状態となる。
【００５０】
使用者が小便器１のボウル部８に放尿を終え、放尿を済ませた使用者が小便器１の前から立ち去るときに、人体検知センサ２８が使用者の存在を検出しなくなる状態に変化する。人体検知センサ２８が非検出状態となると、制御ユニット３０は使用者が小便器１から立ち去ったと認識して、小便洗浄動作を開始する。
制御ユニット３０は、開閉弁２４に制御信号を送って開閉弁２４を開き、先に決定した量の洗浄水をスプレッダ２６からボウル部８に吐水させる。吐水される洗浄水の量は単位時間あたりほぼ一定の流量に設定されている。この洗浄水は、ボウル部８を流下して、排水口部１０に到達する。
【００５１】
スプレッダ２６から吐水された洗浄水は、ボウル部８を広がりながら流下する。
ボウル部８を広がりながら流下する洗浄水は、矢印Ｆ１乃至Ｆ６に示すように、ボウル部８のボウル面上の全方向から排水口部１０の目皿３２に到達する。本実施形態において、矢印Ｆ１、Ｆ２及びＦ６に示す洗浄水の流れの流量は、矢印Ｆ３、Ｆ４及びＦ５に示す洗浄水の流れの流量よりも多くなっている。
矢印Ｆ１に示すような第１流入孔接続領域４４ａに流入する流量の比較的大きな洗浄水の流れは、主に第１流入孔３２ａを通過して目皿３２の裏側領域３３（排水口部１０の内部領域）に流下し、第１流入孔３２ａを通過する洗浄水の流量が比較的小さくなるように調整され、主に矢印Ｆ８に示すような排水口３４に流れ込む洗浄水の流れを形成する。
矢印Ｆ２に示すような第２流入孔接続領域４４ｂに流入する流量の比較的大きな洗浄水の流れは、主に第２流入孔３２ｂを通過して、目皿３２の裏側領域３３（排水口部１０の内部領域）に流下し、第２流入孔３２ｂを通過する洗浄水の流量が比較的小さくなるように調整され、主に矢印Ｆ９に示すような排水口３４に流れ込む洗浄水の流れを形成する。
矢印Ｆ３に示すような第３流入孔接続領域４４ｃに流入する流量の比較的小さな洗浄水の流れは、主に第３流入孔３２ｃを通過して、目皿３２の裏側領域３３（排水口部１０の内部領域）に流下し、第３流入孔３２ｃを通過する洗浄水の流量が比較的大きくなるように調整され、主に矢印Ｆ１０に示すような排水口３４に流れ込む洗浄水の流れを形成する。
矢印Ｆ４に示すような第４流入孔接続領域４４ｄに流入する流量の比較的小さな洗浄水の流れは、主に第４流入孔３２ｄを通過して、目皿３２の裏側領域３３（排水口部１０の内部領域）に流下し、第４流入孔３２ｄを通過する洗浄水の流量が比較的大きくなるように調整され、主に矢印Ｆ１１に示すような排水口３４に流れ込む洗浄水の流れを形成する。
矢印Ｆ５に示すような第５流入孔接続領域４４ｅに流入する流量の比較的小さな洗浄水の流れは、主に第５流入孔３２ｅを通過して、目皿３２の裏側領域３３（排水口部１０の内部領域）に流下し、第５流入孔３２ｅを通過する洗浄水の流量が比較的大きくなるように調整され、主に矢印Ｆ１２に示すような排水口３４に流れ込む洗浄水の流れを形成する。
矢印Ｆ６に示すような第６流入孔接続領域４４ｆに流入する流量の比較的大きな洗浄水の流れは、主に第６流入孔３２ｆを通過して、目皿３２の裏側領域３３（排水口部１０の内部領域）に流下し、第６流入孔３２ｆを通過する洗浄水の流量が比較的小さくなるように調整され、主に矢印Ｆ１３に示すような排水口３４に流れ込む洗浄水の流れを形成する。
このようにして、矢印Ｆ８乃至Ｆ１３に示すような排水口３４に流れ込む洗浄水の流れの流量がほぼ同一となるように洗浄水量の調整が行われる。
【００５２】
矢印Ｆ８乃至Ｆ１３に示すような排水口３４に流れ込む洗浄水の流れは、排水口３４の中心軸線Ｃに対して対称な流れを形成している。矢印Ｆ８乃至Ｆ１３に示すような洗浄水の流れは、各流れの流量及び流速がほぼ同様になっており、排水口３４の中心軸線Ｃを中心としてほぼ均一な流速分布を形成している。
従って、洗浄水が、全方向からほぼ均等な流量及び流速で排水口３４に流れ込む。
【００５３】
下降管路３６においては、洗浄水は、矢印Ｆ８乃至Ｆ１３に示すように、排水口３４に対して全周方向からほぼ均一な流量の流れとして流入される。
また、下降管路３６の下降管路前壁３６ａと、共通壁３８とは、下降管路３６の中心軸線Ｃに対して対称となるように形成されているので、下降管路３６内を流下する洗浄水の流れが中心軸線Ｃに対して対称な流れ及び、流量又は流速として流下される。
よって、洗浄水は、矢印Ｆ１４に示すように、前後左右方向においてほぼ均等に下方に向かって流下する流れを形成している。従って、洗浄水は、下降管路３６において流れの淀みを発生させることなくスムーズに流れることができる。従って、横引管路４２を介して上昇管路４０に流入する洗浄水が、前後方向及び左右方向において比較的均一な流れを形成しやすくなっている。
【００５４】
よって、横引管路４２の横引管路入口４２に流入する洗浄水も、前後左右方向においてほぼ均等に下方に向かって流入する流れを形成している。横引管路４２に流入する洗浄水のうち、横引管路４２の上部側、すなわち折り返し流路形成部３８ａの近傍の部分を流れる洗浄水は、矢印Ｆ１５に示すように折り返し流路形成部３８ａの周りを比較的急角度且つ短い距離で折り返すように流れ、流速が比較的大きく低減される。
これに対し、横引管路４２に流入する洗浄水のうち、横引管路４２の底部側（下部側）、すなわち横引管路４２の底部４２ａの近傍の部分（例えば、横引管路４２の上下方向の下半分側の部分）に流入する洗浄水は、矢印Ｆ１６に示すように、洗浄水が、下降管路３６の出口側円弧形状部３６ｄから横引管路４２の底部４２ａに延びる円弧形状の曲りに沿ってスムーズに流れ、比較的速い流速が維持されている。本発明の実施形態においては、この比較的速い流速を有する洗浄水が、平坦部４２ｅにより形成される抵抗部４２ｂに衝突され、流速が比較的大きく低減される。
【００５５】
本発明とは異なり、仮に、横引管路４２の底部４２ａに抵抗部４２ｂが設けられていない場合には、横引管路４２の底部４２ａの近傍の部分に流入する洗浄水は、抵抗部４２ｂにより流速が低減されないため、比較的速い流速が維持される状態となる。このとき、横引管路４２の上部側を流れる洗浄水の流速と、その下部側を流れる洗浄水の流速との間に比較的大きな流速差が生じる。このように、横引管路４２の上部と下部において洗浄水の流速差が生じる場合、洗浄水が、横引管路４２から上昇管路４０に流入する際に、上昇管路４０の入口部４０ｆの折り返し流路形成部３８ａの近傍における洗浄水の流れの流速と、その入口部４０ｆの上昇管路後壁４０ｂの近傍における洗浄水の流れの流速と、の間に流速差が生じ、後述するように上昇管路４０内において洗浄水の流れの淀みが発生する要因となる。
【００５６】
本発明の実施形態においては、下降管路３６の出口側円弧形状部３６ｄから横引管路４２の底部４２ａに延びる緩やかな曲りに沿って横引管路４２に流入する洗浄水の流れＦ１６、及び、下降管路３６の上方から流下して横引管路４２に流入する洗浄水の流れＦ１７、の下方側の一部が、抵抗部４２ｂに衝突され、底部４２ａの近傍を通過する洗浄水の流速が比較的大きく低減される。よって、横引管路４２の上部側を流れる洗浄水の流速と、その底部側を流れる洗浄水の流速との間の流速差が比較的小さく低減される。従って、洗浄水が、横引管路４２から上昇管路４０に流入する際に、上昇管路４０の入口部４０ｆの折り返し流路形成部３８ａの近傍における洗浄水の流れＦ１５の流速と、その入口部４０ｆの上昇管路後壁４０ｂの近傍における洗浄水の流れＦ１８の流速と、の間に流速差が生じることを抑制することができる。
【００５７】
本発明の実施形態においては、また、横引管路４２の平坦部４２ｅが、前後方向に直線的にほぼ水平に延びて形成されているので、洗浄水の流れの方向に沿った平坦部４２ｅが洗浄水の流速を効率的に低減することができる。
本発明の実施形態においては、また、横引管路４２の平坦部４２ｅが、共通壁３８の折り返し流路形成部３８ａの鉛直下方の位置よりも上流側（便器前方側）まで形成されており、下降管路３６から流下する洗浄水のうち底部４２ａ近傍に流入する部分が平坦部４２ｅにより衝突しやすくなり、底部４２ａ近傍の流速が比較的大きく低減される。
さらに、横引管路４２の平坦部４２ｅが、共通壁３８の折り返し流路形成部３８ａの鉛直下方の位置よりも上流側（便器前方側）において左右方向にも平坦部４２ｅを形成していることから、洗浄水が平坦部４２ｅに衝突した場合の流速の低減効果が比較的高くなり、底部４２ａ近傍の流速が比較的大きく低減される。
【００５８】
本発明の実施形態においては、さらに、洗浄水が、横引管路４２から上昇管路４０へと屈曲する場合において、上昇管路４０の入口側円弧形状部４０ｅ近傍を流れる外周側の流れの流速は、流路が急激に屈曲する折り返し流路形成部３８ａ近傍の内周側の流れの流速に対し、大きくなりやすい。
このような流速差は、上述のように横引管路４２の抵抗部４２ｂ等により低減或いは解消される予定であるが、なお、洗浄水が、横引管路４２から上昇管路４０に流入する際には、上昇管路４０の入口部４０ｆの折り返し流路形成部３８ａの近傍における洗浄水の流れＦ１５の流速と、その入口部４０ｆの上昇管路後壁４０ｂの近傍における洗浄水の流れＦ１８の流速と、の間に流速差が生じる可能性がある。
【００５９】
本発明とは異なり、仮に、上昇管路４０の前側の洗浄水の流れの流速と、後側の洗浄水の流れの流速との流速差が大きくなる場合、例えば、入口部４０ｆに流入する前側の洗浄水の流れの流速と、入口部４０ｆに流入する後側の洗浄水の流れの流速との流速差が大きくなる場合、或いは、例えば、上昇管路４０を上昇していくなかで、前側の洗浄水の流れの流速と、後側の洗浄水の流れの流速との流速差が増大される場合、には、上昇管路４０内に洗浄水の流れの偏り、流速分布の歪みが生じて、流れの淀みが生じやすくなる。仮に、流れの淀みが生じる場合には、例えば、折り返し流路形成部３８ａの近傍において、破線矢印ｆに示すように、渦を巻くような流れによる流れの淀みが生じ、後続の流れを阻害するため、溜水の置換率の低下を引き起こすこととなる。
【００６０】
これに対し、本発明の実施形態においては、前述のように、横引管路４２の抵抗部４２ｂにより、入口部４０ｆに流入する前側の洗浄水の流れＦ１５の流速と、入口部４０ｆに流入する後側の洗浄水の流れＦ１８の流速との流速差が抑制されることを説明している。
次に、本発明の実施形態においては、また、以下のように、上昇管路４０を上昇していくなかで、前側の洗浄水の流れＦ１９の流速と、後側の洗浄水の流れＦ２０の流速との流速差が増大されることを抑制することを、以下説明する。
【００６１】
本発明の実施形態においては、上昇管路４０は、その断面積が入口部４０ｆから出口部４０ｇまで一定に形成されているので、洗浄水は、上昇管路４０内を、流速分布をほぼ維持した状態で入口部４０ｆから出口部４０ｇまで流れることができる。すなわち、洗浄水は、上昇管路４０において、入口部４０ｆに流入する洗浄水が既に有している流速差を、さらに増大させることが抑制され、既に有している流速差が維持された状態で、出口部４０ｇまで流れることができる。
【００６２】
本発明の実施形態においては、上昇管路４０は、その断面積が入口部４０ｆから出口部４０ｇまで一定に形成され、入口部４０ｆから出口部４０ｇまでの流路形状は一定である。このように、流路の断面積が一定である場合には、入口部４０ｆにおける洗浄水の向き及び流速の大きさが、乱されにくく、出口部４０ｇまで維持されやすくなっている。仮に、流路の断面積が出口部４０ｇにおいて増大する又は減少するような場合には、流路の変化に応じて洗浄水の流れの向き及び流速の大きさの変化が生じる問題が生じやすい。
【００６３】
本発明の実施形態においては、また、上昇管路４０は、共通壁３８と、上昇管路後壁４０ｂとは、前後方向において平行な壁面を形成し、且つ同一の傾斜及び傾斜角度を有するように形成されているので、洗浄水は、共通壁３８に沿った流れＦ１９と、上昇管路後壁４０ｂに沿った流れＦ２０とが前後方向において比較的平行な上昇する流れを形成している。また、共通壁３８と、上昇管路後壁４０ｂとの間の距離も、上昇管路４０の入口部４０ｆから出口部４０ｇまで一定に形成されているので、各壁面に沿った流れが乱れにくく、流れ同士が干渉したり、淀みを発生させたりすることなく、流れることができる。
【００６４】
さらに、上昇管路４０は、その左右両側を形成する上昇管路左側壁４０ｃと上昇管路右側壁４０ｄとが平行となるように形成されているので、洗浄水は、上昇管路左側壁４０ｃに沿った流れと、上昇管路右側壁４０ｄに沿った流れとが左右方向において比較的平行な上昇する流れを形成しやすくなっている。
【００６５】
このように、洗浄水が、洗浄水の流れの淀みが比較的生じやすい上昇管路４０内において洗浄水の流れの淀みを発生させることなくスムーズに流れる。従って、排水トラップ１２内の尿と水とが混ざり合った尿濃度の非常に高い液体が、新たな排水トラップ１２に流入する洗浄水によって効率よく置換されるように（入れ替えられるように）排出される。よって、洗浄水量が低減される場合においても、比較的少ない洗浄水量により、排水トラップ１２内の尿濃度の非常に高い液体を効率よく置換することが可能となり、溜水Ｗの置換率が向上されることが可能となる。この置換率は、排水トラップ１２内に溜水Ｗとして貯水されていた洗浄水の総量のうち、どのくらいの割合が、１回の洗浄動作において排水トラップ１２に新たに流入する洗浄水によって置換され、どのくらいの割合が新たな溜水Ｗ中に残るかの比率を示している。
【００６６】
上昇管路４０から流出する洗浄水は、接続部１８に流入し、接続部１８から、排水ソケット１４を介して排水配管１６に排出される。
スプレッダ２６からの吐水が一定時間継続されると、制御ユニット３０は、開閉弁２４を閉止して、スプレッダ２６からの吐水を終了させる。このようにして、小便器１の一連の洗浄動作が終了する。
【００６７】
この小便器１の一連の洗浄動作が終了した直後において、排水トラップ１２内には主に洗浄水が溜水Ｗとして存在している状態になっている。小便器１の各回の一連の洗浄動作が終了した後において、上述のように溜水の置換率が向上されたことにより、排水トラップ１２内が、排水トラップ１２内の溜水Ｗに残存する尿の濃度が一定の基準以下に低減されている状態（主に新たに吐水された洗浄水が溜水Ｗとして存在している状態）となることから、溜水Ｗに残存する尿成分が、排水トラップ１２内に、尿石を付着（発生）させることを抑制することができる。
【００６８】
次に、上述した本発明の実施形態による小便器１の作用効果を説明する。
上述した本発明の実施形態による小便器１によれば、洗浄水が下降管路３６を下降し、自身の上昇管路前壁４０ａを下降管路後壁３６ｂと共通とする共通壁３８により形成された上昇管路４０を上昇する場合において、排水トラップ１２の上昇管路４０が、その断面積Ｓ１、Ｓ２及びＳ３が上流から下流まで一定に形成されているので、上昇管路４０の入口部４０ｆにおける洗浄水の流速差が上昇管路４０内において増大されることを抑制することができ、上昇管路４０内において洗浄水の流れの淀みが発生することを抑制することができる。それにより、排水トラップ１２内の尿濃度の高い液体を含む溜水の置換率を向上させることができ、溜水における尿の残留を低減して、尿石の発生を抑制することができる。
【００６９】
本発明の実施形態による小便器１によれば、上昇管路４０が、共通壁３８と、上昇管路４０の上昇管路後壁４０ｂとが同一の傾斜となるように形成されているので、上昇管路４０内において、上昇しようとする洗浄水が、前後方向において比較的平行な流れを形成することができ、前後方向において流速差を生じにくくすることができる。
【００７０】
本発明の実施形態による小便器１によれば、上昇管路４０が、その左右両側を形成する上昇管路左側壁４０ｃと上昇管路右側壁４０ｄが平行となるように形成されているので、上昇管路４０内において、上昇しようとする洗浄水が、左右方向において比較的平行な流れを形成することができ、左右方向において流速差を生じにくくすることができる。
【００７１】
本発明の実施形態による小便器１によれば、下降管路３６は、共通壁３８と、下降管路前壁３６ａとが、下降管路３６の中心軸線Ｃに対して対称となるように形成されているので、下降管路３６内において、下降しようとする洗浄水が、前後方向及び左右方向において中心軸線Ｃに対して対称となるように集められ、集められるときに流れの乱れを抑制することができる。従って、横引管路４２を介して上昇管路４０に流入する洗浄水が、乱れることを抑制することができる。
【符号の説明】
【００７２】
１        小便器
２        小便器本体
４        自動便器洗浄ユニット
６        収納室
７        前面
８        ボウル部
１０      排水口部
１０ａ    入口部
１０ｂ    出口部
１２      排水トラップ
１４      排水ソケット
１６      排水配管
１８      接続部
２０      給水管
２２      流量調整装置
２４      開閉弁
２６      スプレッダ
２８      人体検知センサ
３０      制御ユニット
３２      目皿
３２ａ    第１流入孔
３２ｂ    第２流入孔
３２ｃ    第３流入孔
３２ｄ    第４流入孔
３２ｅ    第５流入孔
３２ｆ    第６流入孔
３３      裏側領域
３４      排水口
３６      下降管路
３６ａ    下降管路前壁
３６ｂ    下降管路後壁
３６ｄ    出口側円弧形状部
３８      共通壁
３８ａ    流路形成部
４０      上昇管路
４０ａ    上昇管路前壁
４０ｂ    上昇管路後壁
４０ｃ    上昇管路左側壁
４０ｄ    上昇管路右側壁
４０ｅ    形状部
４０ｆ    入口部
４０ｇ    出口部
４２      横引管路
４２ａ    底部
４２ｂ    抵抗部
４２ｃ    横引管路入口
４２ｄ    横引管路出口
４２ｅ    平坦部
４２ｆ    上流端
４４ａ    流入孔接続領域
４４ｂ    流入孔接続領域
４４ｃ    流入孔接続領域
４４ｄ    流入孔接続領域
４４ｅ    流入孔接続領域
４４ｆ    流入孔接続領域
Ｃ        中心軸線
Ｃ２      中心線
Ｇ        隙間流入口
ＧＦ      前側隙間流入口
ＧＲ      奥側隙間流入口
Ｓ１      断面積
Ｓ２      断面積
Ｓ３      断面積
Ｗ        溜水
【図１】
0005911001.tif 000002
【図２】
0005911001.tif 000003
【図３】
0005911001.tif 000004
【図４】
0005911001.tif 000005
【図５】
0005911001.tif 000006
【図６】
0005911001.tif 000007
【図７】
0005911001.tif 000008
【図８】
0005911001.tif 000009
【図９】
0005911001.tif 000010
【図１０】
0005911001.tif 000011
【図１１】
0005911001.tif 000012
【図１２】
0005911001.tif 000013